(57)【要約】【課題】  型枠を好適に支持することのできる基礎構築用の支持具及びその取付構造を提供する。【解決手段】支持具２０は、横筋１４を支持する鉄筋支持部２１と、鉄筋支持部２１から型枠１６に向けて延設された延設部２２と、延設部２２の先端に設けられて型枠１６に対向する型枠支持部２３とを備えている。三角板状をなし、上端から下端に向かうに連れて幅が次第に拡幅する形状を有している。【選択図】      図１
2006161400.tif 000002
【特許請求の範囲】
【請求項１】
鉄筋を配した基礎に設置され、該鉄筋に対する型枠の支持を実現する基礎構築用の支持具において、
前記鉄筋を支持する鉄筋支持部と、当該鉄筋支持部から前記型枠に向けて延設された延設部と、当該延設部に対して設けられて前記型枠に対向する対向面を具備する型枠支持部とを備えてなり、
前記延設部は、前記鉄筋支持部から前記型枠支持部の一端側及び型枠支持部の他端側へ向けて延設され、前記型枠支持部は、該延設部の延設方向と交差する方向の幅が前記型枠支持部の一端側と型枠支持部の他端側との間で異なることを特徴とする基礎構築用の支持具。
【請求項２】
前記型枠支持部における、前記延設部の延設方向と交差する方向の幅は、型枠支持部の一端側から型枠支持部の他端側に向けて次第に拡幅又は縮幅されてなることを特徴とする請求項１に記載の基礎構築用の支持具。
【請求項３】
前記延設部は、前記型枠支持部の一端側から型枠支持部の他端側にかけて連接する面を有する補強部を備えていることを特徴とする請求項１又は請求項２に記載の基礎構築用の支持具。
【請求項４】
前記延設部は、前記型枠支持部の一端面又は型枠支持部の他端面の少なくともどちらか一方と同一平面をなす端面を備えていることを特徴とする請求項３に記載の基礎構築用の支持具。
【請求項５】
請求項１〜請求項４のいずれか一項に記載の基礎構築用の支持具の取付構造であって、
前記型枠は、その長手方向に沿って端面同士を当接させた状態で複数並設され、これら複数の型枠のうち、隣り合う一対の型枠の端面間に前記型枠支持部を当接させてなることを特徴とする基礎構築用の支持具の取付構造。
【発明の詳細な説明】
【技術分野】
【０００１】
本発明は、建築物において布基礎等の基礎の構築時に型枠を支持する基礎構築用の支持具及びその取付構造に関するものである。
【背景技術】
【０００２】
従来より、型枠及び鉄筋を支持可能な基礎構築用の支持具として、例えば特許文献１に示されたようなものが提案されている。すなわち、当該支持具は、長四角板状をなす底板と、該底板に立設されて三角板状をなす枠板当着部とを備えている。枠板当着部の斜辺部には、鉄筋受溝が前記底板に向かって鉛直下方に凹設されている。この鉄筋受溝は斜辺部に開口されている。そして、鉄筋受溝に鉄筋を嵌挿させるとともに、枠板当着部の背面を型枠の内面に当接させることにより、鉄筋を型枠から所定間隔をおいた位置に保持することができる。
【特許文献１】特開平１１−７１７７２号公報
【発明の開示】
【発明が解決しようとする課題】
【０００３】
上記従来の支持具の構成では、枠板当着部は鉄筋が挿入される鉄筋受溝と型枠に当接される端面との間隔を決定付ける機能を果たすのみであった。すなわち、従来技術の支持具における枠板当着部は、三角板状の一辺である端面で、ただ単に、型枠の当着を許容するのみであって、型枠が鉄筋側に押し付けられる力を広範囲に受け止めるように機能するとは言い難い構成であった。ましてや、その力を広範囲に受け止めるためにどのように構成し、その構成に合わせて、型枠が鉄筋側に押し付けられる力をどのようにしてバランスよく鉄筋に伝達するかという点については、何ら考慮されていない構成だったのである。従って、支持具の使用については、その時々によって数を増やすなどして型枠が鉄筋側に押し付けられる力を受け止めていた。たとえば、上記従来の支持具の構成では、１枚の型枠に対して、少なくとも２つの支持具を要していたのである。
【０００４】
この発明は、こうした従来の実情に鑑みてなされたものであり、その目的は、型枠を好適に支持することのできる基礎構築用の支持具及びその取付構造を提供することにある。
【課題を解決するための手段】
【０００５】
上記の目的を達成するために、請求項１に記載の発明は、鉄筋を配した基礎に設置され、該鉄筋に対する型枠の支持を実現する基礎構築用の支持具において、前記鉄筋を支持する鉄筋支持部と、当該鉄筋支持部から前記型枠に向けて延設された延設部と、当該延設部に対して設けられて前記型枠に対向する対向面を具備する型枠支持部とを備えてなり、前記延設部は、前記鉄筋支持部から前記型枠支持部の一端側及び型枠支持部の他端側へ向けて延設され、前記型枠支持部は、該延設部の延設方向と交差する方向の幅が前記型枠支持部の一端側と型枠支持部の他端側との間で異なることを要旨とする。
【０００６】
上記の構成によれば、延設部が鉄筋支持部から型枠支持部の一端側及び型枠支持部の他端側へ向けて延設されることから、型枠支持部にかかる力が型枠支持部の一端側又は他端側に集中することなく鉄筋支持部側へ伝達される。また、型枠支持部の幅は、一端側と他端側とで異なるように形成されており、そうした幅構成よりなる型枠支持部によって、型枠を支持する面が確保されている。このため、本構成の支持具によれば、型枠の外側を埋める固定土による、当該型枠が鉄筋側に押し付けられる力を型枠支持部で広範囲に受け止めて型枠を好適に支持しつつ、型枠支持部のコンパクト化を達成する。
【０００７】
請求項２に記載の発明は、請求項１に記載の発明において、前記型枠支持部における、前記延設部の延設方向と交差する方向の幅は、型枠支持部の一端側から型枠支持部の他端側に向けて次第に拡幅又は縮幅されてなることを要旨とする。
【０００８】
上記の構成によれば、型枠支持部は、たとえば、他端側を地面側とした場合、地面側に向かうに連れて表面積が広くなる、或いは地面側から遠ざかるに連れて表面積が広くなるように形成されて型枠に対する支持面積が確保されている。とくに、支持具が設置された箇所に布基礎コンクリートを流し込む場合、当該布基礎コンクリートは、型枠支持部の幅狭な箇所から幅広な箇所へ、又は型枠支持部の幅広な箇所から幅狭な箇所へと型枠支持部の外形状に沿って順次地面側に流れる。このため、布基礎コンクリートの流れを妨げることがなく、スムーズに布基礎コンクリートが所定箇所に流し込まれる。
【０００９】
請求項３に記載の発明は、請求項１又は請求項２に記載の発明において、前記延設部は、前記型枠支持部の一端側から型枠支持部の他端側にかけて連接する面を有する補強部が備えられていることを要旨とする。この構成によれば、補強部は、型枠支持部の一端側から型枠支持部の他端側にかけての領域において、型枠支持部が受け止めた力をバランスよく鉄筋側へ伝達する。
【００１０】
請求項４に記載の発明は、請求項１〜請求項３のいずれか一項に記載の発明において、前記延設部は、前記型枠支持部の一端面又は型枠支持部の他端面の少なくともどちらか一方と同一平面をなす端面が備えられていることを要旨とする。この構成によれば、型枠支持部の一端面及び／又は他端面を他部材（他部位）に当接させる場合に、補強部の端面の構成によって、その当接状態を安定化させることができる。
【００１１】
請求項５に記載の発明は、請求項１〜請求項４のいずれか一項に記載の基礎構築用の支持具の取付構造であって、前記型枠は、その長手方向に沿って端面同士を当接させた状態で複数並設され、これら複数の型枠のうち、隣り合う一対の型枠の端面間に前記型枠支持部を当接させてなることを要旨とする。
【００１２】
通常、複数の型枠を鉄筋の長手方向に並設した状態で布基礎コンクリートを形成する際には、当該複数の型枠は、隣り合う型枠の側面（鉄筋の長手方向に直交する方向に相対向する面）同士が重ねられた状態で上記支持具により支持されるのが一般的である。しかしながら、こうした場合、隣り合う型枠の間に段差が生じてしまい、その結果、当該段差に応じて布基礎コンクリートの厚みが部分的に広くなったり狭くなったりして、その強度にばらつきが生じる。これに対し本構成では、型枠の端面（鉄筋の長手方向に相対向する面）同士を当接させて前記段差を省略した状態で、隣り合う一対の型枠の端面間に支持具の型枠支持部が当接される。すると、隣り合う一対の型枠の相対移動が支持具によって好適に抑制される。また、前記段差を省略したことにより、複数の型枠の側面が同一平面上に配置されることから、均一の厚みを有する布基礎コンクリートが得られる。
【発明の効果】
【００１３】
本発明の基礎構築用の支持具及びその取付構造によれば、型枠を好適に支持することができる。
【発明を実施するための最良の形態】
【００１４】
以下、基礎構築用の支持具を図面に基づいて説明する。
図３に示すように、基礎構築用の支持具２０は、例えば家屋において、基礎としての布基礎１０を構築するために使用される。より詳しくは、本実施形態の支持具２０は、布基礎１０の側面を成形する型枠群１１を支持するために使用される（図１参照）。布基礎１０の内部には、該布基礎１０を補強する鉄筋として、布基礎１０の幅方向に延びる幅筋１３と、布基礎１０の連なる方向に延びる横筋１４と、布基礎１０の高さ方向に延びる立ち上がり筋（図示略）が埋設される。
【００１５】
前記型枠群１１は、幅筋１３の長手方向で相対向するように一対配設されている。各型枠群１１は、横筋１４の長手方向に沿って複数個の型枠１６が並設されてなる集合体であり、隣り合う型枠１６の端面１６ａ同士を当接させて構成されている（図１参照）。各型枠群１１は、横筋１４から所定間隔だけ離間した箇所に配設されている。そして、これら型枠群１１と横筋１４との間に支持具２０が設置されている。換言すれば、横筋１４に支持具２０が設置され、その支持具２０によって型枠群１１が該横筋１４に支持されている。
【００１６】
図１に示すように、支持具２０は、横筋１４を支持する鉄筋支持部２１と、鉄筋支持部２１から型枠１６に向けて延設された延設部２２と、延設部２２の先端に設けられて型枠１６に対向する型枠支持部２３とを備えている。支持具２０は、合成樹脂により形成されており、その表面は全体に亘って灰色を呈している。
【００１７】
鉄筋支持部２１は、筒状をなし、その長手方向に延びる開口を有することから、断面Ｃ字状に形成されている。この鉄筋支持部２１の内部には横筋１４が嵌挿されるようになっている。
【００１８】
延設部２２は、鉄筋支持部２１から後述する型枠支持部２３の一端側（上端側）及び他端側（下端側）の双方へ向けて延設されている。延設部２２は、鉄筋支持部２１から型枠支持部２３に向けて水平に延びる延設軸部２４と、当該延設軸部２４の上側面及び下側面にそれぞれ設けられた上側リブ２６及び下側リブ２７とを備えている。
【００１９】
延設軸部２４は、長四角板状をなし、その基端部（延設部２２と鉄筋支持部２１との境界箇所）には、鉄筋支持部２１に向かうに連れて幅が広がる拡幅部２４ａが設けられている。なお、前記幅とは、型枠群１１の長手方向Ａに沿う延設部２２の幅を意味する。また、横筋１４を基準とするならば、当該横筋１４の長手方向と同方向の幅を意味する。前記拡幅部２４ａにより、延設軸部２４の基端部の剛性が高められている。
【００２０】
上側リブ２６は、鉄筋支持部２１から後述する型枠支持部２３の上端側（一端側）へ向けて延設されている。上側リブ２６は、その形状が三角板状に形成されており、高さが型枠支持部２３に向かうにつれて徐々に高くなるように形成されている。この上側リブ２６は、延設軸部２４の長手方向（幅方向と直交する方向）に当該延設軸部２４を２等分する仮想線２８上に設けられている。
【００２１】
下側リブ２７は、その形状が全体として三角枠状に形成されており、中央には貫通孔２７ａを備えている。下側リブ２７は、型枠支持部２３の横筋１４側の面に接しつつ当該型枠支持部２３の下端側から上端側にかけて連設されてなる補強部としての第１リブ３０と、延設軸部２４の下側面に接しつつ延びる第２リブ３１と、鉄筋支持部２１から型枠支持部２３の下端に向けて斜状に延びる第３リブ３２とより形成されている。前記第１リブ３０の下端面３０ａは、型枠支持部２３の下端面２３ｃと同一平面上に配置されている。
【００２２】
図２に示すように、型枠支持部２３は、三角板状をなし、上端側（一端側）から下端側（他端側）に向かうに連れて幅が次第に拡幅する形状を有している。すなわち、型枠支持部２３は、その幅が上端側と下端側とで異なる形状を有している。なお、前記幅とは、延設部２２の型枠支持部２３側の端面の延設方向（具体的には、上側リブ２６及び下側リブ２７の型枠支持部２３側の端面の延設方向）と交差（本実施形態では直交）する方向の幅であり、換言すれば、型枠群１１の長手方向Ａに沿う型枠支持部２３の幅を意味する。そして、型枠支持部２３は、その幅方向に直交する高さ方向（前記延設方向）の仮想線２５を中心として線対称に形成されている。この型枠支持部２３において、前記延設軸部２４より上方に位置する箇所の幅は当該延設軸部２４の幅よりも小さくなっており、延設軸部２４より下方に位置する箇所の幅は当該延設軸部２４の幅よりも大きくなっている（図１参照）。型枠支持部２３の下端の幅Ｌは、当該型枠支持部２３の重心の安定性を好適に維持するとともに製造コストの上昇を抑制する観点から、３〜２０ｃｍ、好ましくは５〜１５ｃｍに設定されている。
【００２３】
型枠支持部２３において前記横筋１４側の側面２３ａ（内面）とは反対側に位置する側面（外面）には、型枠１６の側面に対向してこれに当接する対向面２３ｂが設けられている。この対向面２３ｂは、凹凸形状のない水平面に形成されている。そして、図１に示すように、型枠支持部２３は、隣り合う一対の型枠１６の端面１６ａ間に前記仮想線２５を一致させて、その対向面２３ｂを型枠１６の側面に当接させた状態で設置されている。
【００２４】
次に、上記支持具２０の作用について説明する。
布基礎１０を構築するために支持具２０を使用する場合、まず、鉄筋支持部２１に横筋１４を支持させ、次いで型枠１６の側面に型枠支持部２３の対向面２３ｂを当接させる。このとき、型枠支持部２３の仮想線２５が、隣り合う一対の型枠１６の端面１６ａ間に位置するように支持具２０を設置する。すると、型枠群１１が支持具２０の型枠支持部２３により内側から支持される。なお、当該支持具２０の設置手順は、上記の手順に限定されるものではなく、適宜変更してもよい。
【００２５】
さて、鉄筋支持部２１の開口に対してその上方又は下方或るいは前方から横筋１４を押し込む際には、当該鉄筋支持部２１に対して上下方向の負荷が加わる。この負荷は、そのまま延設軸部２４にも加わる。こうした場合でも、本実施形態では、延設軸部２４がその上下方向から各リブ２６，２７により補強されており、当該延設軸部２４の剛性が高められている。このため、前記負荷のほとんどがリブ２６，２７により受け止められ、当該負荷による延設軸部２４の変形が好適に抑制される。
【００２６】
また、本実施形態では、仮想線２５を境界として均等に２分割された対向面２３ｂのそれぞれが、隣り合う一対の型枠１６に対し均等に当接する。すなわち、上記支持具２０によれば、隣り合う一対の型枠１６に対し、均等な支持面積が確保される。このため、隣り合う一対の型枠１６が均等な力で支持され、その結果、これらの相対移動が好適に抑制される。
【００２７】
また、本実施形態の型枠支持部２３は地面側に向かうに連れて幅広となる形状を有しているため、重心が安定した型枠支持部２３により型枠１６が支持される。その結果、型枠１６の外側を埋める固定土の圧力により当該型枠１６を鉄筋（横筋１４）側に押し付ける力が、頑丈な型枠支持部２３によって好適に受け止められる。
【００２８】
上記のように支持具２０を所定箇所に設置した後、一対の型枠群１１の内側に布基礎コンクリートを流し込む。その際、当該布基礎１０コンクリートは、型枠支持部２３の幅狭な箇所（上端部）から幅広な箇所（下端部）へと型枠支持部２３の外形状（型枠支持部２３の斜辺）に沿って順次地面側に流れる。このため、上記支持具２０によれば、布基礎コンクリートの流れを妨げることがなく、スムーズに布基礎コンクリートが所定箇所に流し込まれる。
【００２９】
前記の実施形態によって発揮される効果について、以下に記載する。
・  上記支持具２０の型枠支持部２３は、上端部から下端部に向かうに連れて幅が次第に拡幅する形状を有している。このため、型枠１６に対する型枠支持部２３の支持面積が確保されるうえ、当該型枠支持部２３の重心が安定する。従って、型枠１６を鉄筋側に押し付ける力が、頑丈な型枠支持部２３により受け止められ、その結果、型枠１６を好適に支持することができる。また、この型枠支持部２３の形状は、たとえば、四角板状のものに比べて、好適に型枠１６との接触面積が省略されていることから、支持具全体のコンパクト化に寄与する。
【００３０】
・  上記支持具２０の型枠支持部２３は、その下端側から上端側にかけての領域において第１リブ３０を有している。この第１リブ３０により型枠支持部２３が補強されている。その結果、型枠支持部２３が受け止めた力をバランスよく鉄筋側へ伝達することができる。また、この第１リブ３０は、その中央に貫通孔２７ａを備えているために三角枠状をなしている。この形状は、上で述べた力の伝達機能を維持しつつも、支持具全体の軽量化に寄与する。
【００３１】
・  第１リブ３０の下端面３０ａと型枠支持部２３の下端面２３ｃとは同一平面上に配置されている。このため、型枠支持部２３を地面上に配置する際には、型枠支持部２３の下端面２３ｃに支持された状態で安定に配置することができる。
【００３２】
・  型枠支持部２３の下端の幅Ｌは３〜２０ｃｍ、好ましくは５〜１５ｃｍに設定されている。この場合、型枠１６に対する型枠支持部２３の支持面積を確保するのに必要とされる最低限の大きさを有する型枠支持部２３が得られる。このため、本構成によれば、型枠支持部２３の必要以上の大きさを伴って支持具２０の製造コストが上昇することがなく、当該製造コストを極力抑制することができる。従って、型枠１６に対する支持機能を十分に備え、コストの点でも好適である支持具２０を得ることができる。
【００３３】
・  上記支持具２０は、隣り合う一対の型枠１６に対し均等な支持面積を確保できる箇所に設置される。このため、隣り合う一対の型枠１６が均等な力で支持され、それらの相対移動を好適に抑制することができる。
【００３４】
・  上記支持具２０の表面は、全体に亘って、布基礎コンクリートと同色である灰色を呈している。このため、型枠群１１を撤去した場合でも支持具２０が目立たない。従って、布基礎コンクリートの外観の低下を効果的に抑制することができる。
【００３５】
・  本実施形態では、複数の型枠１６がその端面１６ａ同士を当接させた状態で配設される。このため、複数の型枠１６の側面が同一平面上に配置される。従って、同一平面上に配置された各側面により、均一の厚みを有する布基礎コンクリートが得られる。すなわち、強度のばらつきが抑制された布基礎コンクリートを得ることができる。また、複数の型枠１６の側面が同一平面上に配置されることにより、型枠群１１の外観を向上させることができる。
【００３６】
なお、本実施形態は、次のように変更して具体化することも可能である。
・  型枠群１１に対する型枠支持部２３の当接箇所は、上記実施形態に限定されるものでない。すなわち、型枠支持部２３の仮想線２５の配置箇所は、隣り合う型枠１６の端面１６ａ間に限定されるものではない。この場合、型枠支持部２３の少なくとも一部が前記端面１６ａ間に当接する範囲内で、当該型枠支持部２３の当接箇所を適宜変更してもよい。
【００３７】
・  上側リブ２６の形状は三角板状に限定されるものではなく、例えば、四角板状等に変更してもよい。また、下側リブ２７と同様にその中央に孔を設けてもよいし、延設部２２の構成から当該上側リブ２６を省略してもよい。上側リブ２６の端面と型枠支持部２３の上端面（一端面）と同一平面をなすような端面を上側リブ２６に具備してもよい。この場合、下側リブ２７の下端面３０ａのように上端面が付加されるような構成となる。
【００３８】
・  下側リブ２７の構成のうち、第１リブ３０又は第２リブ３１のいずれか一方については省略してもよい。また、場合によっては、第３リブ３２を省略してもよいが、その場合は第１リブ３０又は第２リブ３１は必須の構成である。いずれにせよ、「延設部の延設方向」とは、本実施形態では、上側リブ２６と下側リブ２７の型枠支持部２３側の端面の長手方向を意味する。たとえば、上の変更例のように、第１リブ３０及び第２リブ３１が省略されて第３リブ３２のみで下側リブ２７が構成されたとしても、上側リブ２６と第３リブ３２との型枠支持部２３側の端面を互いに含んだ領域が延びる長手方向を意味する。つまり、本実施形態では、延設軸部２４の型枠支持部２３側の端面が型枠支持部２３の幅方向（図１でいうＡ方向）に延びるように形成されるのであるが、延設部２２全体としては、上側リブ２６及び下側リブ２７の存在によって、型枠支持部２３の幅方向と交差（本実施形態では直交）する方向が「延設部の延設方向」ということになる。ところで、第１リブ３０の配設位置であるが、これを型枠支持部２３の側面２３ａから離間させるようにして構成してもよい。つまりは、第２リブ３１及び第３リブ３２に作用する力を予定するとおりに横筋１４側へ伝達できるようにそれらリブ間の間隔を保持できれば、「補強部」として機能し得るのである。
【００３９】
・  型枠支持部２３を、上端部から下端部に向かうに連れて幅が次第に縮幅する形状、すなわち、逆三角板状に形成してもよい。また、当該型枠支持部２３の形状を、台形、菱形、五角形等、そして、型枠支持部２３の一端側から他端側へ向けて多段階に幅を変化させるように変更してもよい。型枠支持部２３を図２のように正面視した場合、「エ」字状となるように、型枠支持部２３の一端側と他端側とにそれぞれ四角形状の部材を備えつつ、それら部材を連結するように中央に四角形状の部材を備えるようにしてもよい。ところで、型枠支持部２３の形状については、型枠支持部２３の左端部から右端部にかけての高さ（図１のＡ方向と直交する方向）を異なるようにして構成することも可能である。この場合、たとえば、上で述べた「エ」字状の場合と同様に、図２のように型枠支持部２３を正面視した場合、その形状が「Ｈ」字状になるような形状が考えられる。
【００４０】
・  型枠支持部２３の上端側の幅と下端側の幅とを同一に形成してもよい。すなわち、型枠支持部２３の形状を、長方形、正四角形等に変更してもよい。
・  上記支持具２０の表面の色彩は灰色に限定されるものではなく、これを例えば黒色、白色等に変更してもよい。
【００４１】
・  上記支持具２０を鋼等の金属材料又は木材により形成してもよい。
さらに、前記実施形態より把握できる技術的思想について以下に記載する。
・  鉄筋を配した基礎に設置され、該鉄筋に対する型枠の支持を実現する基礎構築用の支持具において、前記鉄筋を支持する鉄筋支持部と、当該鉄筋支持部から前記型枠に向けて延設された延設部と、当該延設部に対して設けられて前記型枠に対向する対向面を具備する型枠支持部とを備えてなり、前記延設部は、前記鉄筋支持部から前記型枠支持部の一端側及び型枠支持部の他端側へ向けて延設され、前記型枠支持部は、該延設部の延設方向と交差する方向の幅が前記型枠支持部の一端側と型枠支持部の他端側とで同一であることを特徴とする基礎構築用の支持具。このように構成した場合、型枠を好適に支持することができる。
【００４２】
・  型枠支持部は、型枠の長手方向に沿う幅が地面側に向かうに連れて次第に拡幅又は縮幅されてなることを特徴とする基礎構築用の支持具。
・  型枠支持部は、型枠の長手方向に沿う幅が延設部の当該幅よりも広くなる箇所を有していることを特徴とする基礎構築用の支持具。
【図面の簡単な説明】
【００４３】
【図１】本実施形態の支持具を示す斜視図。
【図２】同支持具を示す背面図。
【図３】同支持具の使用態様を示す側面図。
【符号の説明】
【００４４】
１０…基礎としての布基礎、１４…鉄筋としての横筋、１６…型枠、１６ａ…型枠の端面、２０…支持具、２１…鉄筋支持部、２２…延設部、２３…型枠支持部、２３ｂ…対向面、２３ｃ…型枠支持部の一端面（他端面）、３０…補強部としての第１リブ、３０ａ…第１リブの端面。
【図１】
2006161400.tif 000003
【図２】
2006161400.tif 000004
【図３】
2006161400.tif 000005